(57)【特許請求の範囲】
【請求項１】
他の端末装置との間で近距離無線通信を行なう無線通信部と、
前記無線通信部によって前記他の端末装置から所定の識別子であって、コンテンツデータのコンテンツ識別子と、前記コンテンツデータを保持するコンテンツサーバ装置のパスワードとを含む前記所定の識別子を受信すると、当該所定の識別子を前記コンテンツサーバ装置に送信する識別子送信部と、
前記識別子送信部による前記所定の識別子の送信に対する応答として、前記コンテンツサーバ装置から送信されたコンテンツデータを受信し、受信されたコンテンツデータを表示する表示部と、
前記表示部に表示されたコンテンツデータを記憶部に格納する記憶制御部と
を有することを特徴とする端末装置。
【請求項２】
コンテンツデータを前記コンテンツサーバ装置に対して登録依頼する登録依頼部と、
前記登録依頼部による前記コンテンツデータの登録依頼に対する応答として、前記コンテンツサーバ装置において前記コンテンツデータを一意に識別するコンテンツ識別子を受信するコンテンツ識別子受信部と、
前記コンテンツ識別子受信部によってコンテンツ識別子を受信した場合に、前記コンテンツサーバ装置への接続で利用されるパスワードを受け付けて、受け付けたパスワードと、受信されたコンテンツ識別子とを前記所定の識別子として前記記憶部に登録する登録部と
をさらに有することを特徴とする請求項１に記載の端末装置。
【請求項３】
前記無線通信部は、前記記憶部に登録された前記所定の識別子を、近距離無線通信を用いて他の端末装置に対して送信することを特徴とする請求項２に記載の端末装置。
【請求項４】
他の端末装置との間で近距離無線通信を行なう無線通信手順と、
前記無線通信手順によって前記他の端末装置から所定の識別子であって、コンテンツデータのコンテンツ識別子と、前記コンテンツデータを保持するコンテンツサーバ装置のパスワードとを含む前記所定の識別子を受信すると、当該所定の識別子を前記コンテンツサーバ装置に送信する識別子送信手順と、
前記識別子送信手順による前記所定の識別子の送信に対する応答として、前記コンテンツサーバ装置から送信されたコンテンツデータを受信し、受信されたコンテンツデータを表示部に表示する表示手順と、
前記表示部に表示されたコンテンツデータを記憶部に格納する記憶制御手順と
を端末装置に実行させることを特徴とするコンテンツデータ取得プログラム。
【請求項５】
他の端末装置との間で近距離無線通信を行なう無線通信ステップと、
前記無線通信ステップによって前記他の端末装置から所定の識別子であって、コンテンツデータのコンテンツ識別子と、前記コンテンツデータを保持するコンテンツサーバ装置のパスワードとを含む前記所定の識別子を受信すると、当該所定の識別子を前記コンテンツサーバ装置に送信する識別子送信ステップと、
前記識別子送信ステップによる前記所定の識別子の送信に対する応答として、前記コンテンツサーバ装置から送信されたコンテンツデータを受信し、受信されたコンテンツデータを表示部に表示する表示ステップと、
前記表示部に表示されたコンテンツデータを記憶部に格納する記憶制御ステップと
を含んだことを特徴とする端末装置によって実行されるコンテンツデータ取得方法。
【発明の詳細な説明】
【技術分野】
【０００１】
本発明は、端末装置、コンテンツデータ取得プログラム及びコンテンツデータ取得方法に関する。
【背景技術】
【０００２】
従来、発着呼や電子メールの送受信等を行なう携帯電話は、通信相手の氏名、電話番号及び電子メールアドレス等の電話帳データを保持する電話帳を有する。かかる携帯電話の電話帳への電話帳データの登録では、一つの態様として、携帯電話のユーザによるキー操作で入力された電話帳データを受け付けて電話帳に登録される。
【０００３】
また、上記とは別の態様として、電話帳データの電話帳への登録では、赤外線通信（IrDA：Infrared  Data  Association）等の近距離無線通信を利用した技術がある。図１３を用いて、従来技術に係る近距離無線通信を利用した技術を説明する。図１３は、従来技術に係る近距離無線通信を利用した技術を説明する図である。なお、ここでは、携帯電話が保持するコンテンツデータのうち、電話帳を送受信する場合を説明する。
【０００４】
例えば、図１３に示すように、携帯電話１０ａは、電話帳１１ａを有する。また、携帯電話１０ｂは、電話帳１１ｂを有する。そして、携帯電話１０ａと携帯電話１０ｂとで相互に赤外線通信可能な状態において、携帯電話１０ａは、電話帳１１ａを携帯電話１０ｂに対して転送する。電話帳１１ａを受信した携帯電話１０ｂは、当該電話帳１１ａの電話帳データを用いて通話又は通信を行なえるようになる。なお、携帯電話１０ｂから携帯電話１０ａに電話帳を転送する場合にも同様の処理が行なわれる。
【０００５】
また、最近では、ネットワークのサーバ装置に電話帳のデータベースを保持させておき、携帯電話やＰＣ（Personal  Computer）等の端末装置が、当該データベースを更新及び参照するシンクライアント（thin  client）と呼ばれる技術がある。
【先行技術文献】
【特許文献】
【０００６】
【特許文献１】特開２００９−１８２６６３号公報
【発明の概要】
【発明が解決しようとする課題】
【０００７】
しかしながら、従来技術では、コンテンツデータの交換が困難であるという課題がある。具体的には、シンクライアントと呼ばれる技術では、コンテンツデータがネットワークのサーバ装置に格納されているため、近距離無線通信等の無線通信を利用したコンテンツデータの交換を行なうことが出来ない。
【０００８】
近年、携帯電話の通信方式においては、例えば、ＬＴＥ（Long  Term  Evolution）等の常時接続型のパケット通信方式の採用が検討されている。常時接続で且つ高速な通信が可能となれば、携帯電話の内部に記憶された電話帳等のコンテンツデータは、ネットワークのサーバ装置に格納されるようになることが考えられるため、コンテンツデータを簡易に交換することが望まれることとなる。
【０００９】
そこで、本願に開示する技術は、上記に鑑みてなされたものであって、コンテンツデータを簡易に交換することが可能である端末装置、コンテンツデータ取得プログラム及びコンテンツデータ取得方法を提供することを目的とする。
【課題を解決するための手段】
【００１０】
上述した課題を解決し、目的を達成するため、本願に開示する端末装置は、他の端末装置との間で無線通信を行なう無線通信部を有する。また、端末装置は、無線通信部によって受信された所定の識別子であって、コンテンツデータのコンテンツ識別子と、コンテンツデータを保持するコンテンツサーバ装置のパスワードとを含む前記所定の識別子を、コンテンツサーバ装置に送信する識別子送信部を有する。また、端末装置は、識別子送信部による所定の識別子の送信に対する応答として、コンテンツサーバ装置から送信されたコンテンツデータを受信し、受信されたコンテンツデータを記憶部に格納する記憶制御部を有する。
【発明の効果】
【００１１】
本願に開示する端末装置、コンテンツデータ取得プログラム及びコンテンツデータ取得方法の一つの様態によれば、コンテンツデータを簡易に交換することができるという効果を奏する。
【図面の簡単な説明】
【００１２】
【図１】図１は、実施例１に係る端末装置の構成例を示す図である。
【図２】図２は、実施例２に係る携帯電話の構成例を示す図である。
【図３】図３は、電話帳アクセスデータ記憶部に記憶される情報の例を示す図である。
【図４】図４は、実施例２に係る電話帳データ登録処理を説明する図である。
【図５】図５は、実施例２に係る電話帳データ登録処理の流れを示すフローチャートである。
【図６】図６は、実施例２に係る電話帳交換処理を説明する図である。
【図７】図７は、実施例２に係る電話帳交換処理の流れを示すフローチャートである。
【図８】図８は、実施例２に係る電話帳データ参照処理を説明する図である。
【図９】図９は、実施例２に係る電話帳データ参照処理の流れを示すフローチャートである。
【図１０】図１０は、実施例３に係る電話帳データ参照処理を説明する図である。
【図１１】図１１は、実施例３に係る電話帳データ参照処理の流れを示すフローチャートである。
【図１２】図１２は、コンテンツデータ取得プログラムを実行するコンピュータの例を示す図である。
【図１３】図１３は、従来技術に係る近距離無線通信を利用した技術を説明する図である。
【発明を実施するための形態】
【００１３】
以下に添付図面を参照して、本願に開示する端末装置、コンテンツデータ取得プログラム及びコンテンツデータ取得方法の実施例を説明する。なお、以下の実施例により本発明が限定されるものではない。また、各実施例は、内容を矛盾させない範囲で適宜組み合わせることが可能である。
【実施例１】
【００１４】
図１を用いて、実施例１に係る端末装置の構成例を説明する。図１は、実施例１に係る端末装置の構成例を示す図である。例えば、図１に示すように、端末装置１は、無線通信部２と、識別子送信部３と、記憶制御部４と、記憶部５とを有する。また、端末装置１は、例えば、携帯電話やＰＣ（Personal  Computer）等の端末装置であり、各種コンテンツデータを保持するコンテンツサーバ装置と通信を行なう。なお、コンテンツサーバ装置は、端末装置それぞれが内部に記録していたコンテンツデータを保持する。
【００１５】
無線通信部２は、他の端末装置との間で無線通信を行なう。識別子送信部３は、無線通信部２によって受信された所定の識別子であって、コンテンツデータのコンテンツ識別子と、コンテンツサーバ装置のパスワードとを含む所定の識別子を、コンテンツサーバ装置に送信する。記憶制御部４は、識別子送信部３による所定の識別子の送信に対する応答として、コンテンツサーバ装置から送信されたコンテンツデータを受信し、受信されたコンテンツデータを記憶部５に格納する。
【００１６】
具体的に説明すると、無線通信部２は、入力部（図示せず）から無線通信の開始に要する信号を受け付けると、他の端末装置との間で無線通信を行なって、当該他の端末装置から所定の識別子を受信する。そして、無線通信部２は、受信された所定の識別子を識別子送信部３に入力する。所定の識別子は、例えば、コンテンツサーバ装置に保持されるコンテンツデータを一意に識別するコンテンツ識別子と、コンテンツサーバ装置への接続で利用されるパスワードとを含む。なお、入力部は、例えば、キーボードやマウス、又は操作キー等の入力装置を有し、端末装置１のユーザによる操作キーの操作によって無線通信を開始するための信号を受け付けて、無線通信部２に通知する。
【００１７】
識別子送信部３は、無線通信部２によって入力された所定の識別子をコンテンツサーバ装置に送信する。このとき、端末装置１から所定の識別子を受信したコンテンツサーバ装置は、受信された所定の識別子に対応するコンテンツデータを端末装置１に対して送信する。記憶制御部４は、コンテンツサーバ装置によって送信されたコンテンツデータを受信し、受信されたコンテンツデータを記憶部５に格納する。記憶部５は、例えば、一時的にデータを記憶するバッファ等である。また、記憶部５に格納されたデータは、表示部（図示せず）等へ表示出力されたり、必要に応じて編集された後にコンテンツサーバ装置に登録されたりする。なお、表示部は、例えば、モニタ（若しくはディスプレイ、タッチパネル）やスピーカ等の表示出力装置を有する。また、端末装置１に対応するコンテンツデータを他の端末装置が取得する場合も同様の処理が行なわれる。
【００１８】
このように、端末装置１は、他の端末装置のコンテンツデータを取得する場合に、コンテンツサーバ装置へのアクセスに要する所定の識別子を、無線通信を利用して取得し、取得された所定の識別子を用いてコンテンツデータを取得する。この結果、端末装置１は、ネットワークのサーバ装置にコンテンツデータが格納されているために、近距離無線通信等の無線通信を利用したコンテンツデータの交換が困難である従来技術と比較して、コンテンツデータを簡易に交換することができる。
【実施例２】
【００１９】
［実施例２に係る携帯電話の構成］
図２を用いて、実施例２に係る携帯電話の構成例を説明する。図２は、実施例２に係る携帯電話の構成例を示す図である。例えば、図２に示すように、携帯電話１００は、入力部１０１と、表示部１０２と、記憶部１１０と、制御部１２０とを有する。なお、図２に示す携帯電話１００は、実施例１に係る端末装置１の一例である。また、以下では、コンテンツサーバ装置に保持されるコンテンツデータから、電話帳データを取得する場合について説明する。
【００２０】
入力部１０１は、各種情報の入力を受け付け、操作キー等の入力装置を有する。例えば、入力部１０１は、携帯電話１００のユーザによる操作キーの操作により電話帳データを受け付けて、受け付けた電話帳データを登録依頼部１２１に入力する。また、例えば、入力部１０１は、携帯電話１００のユーザによる操作キーの操作によりコンテンツサーバ装置への接続で利用されるパスワードを受け付けて、受け付けたパスワードを登録部１２３に入力する。また、例えば、入力部１０１は、携帯電話１００のユーザによる操作キーの操作により無線通信の開始通知を受け付けて、受け付けた開始通知を無線通信部１２４に入力する。
【００２１】
表示部１０２は、モニタ（若しくはディスプレイ、タッチパネル）やスピーカ等の表示出力装置を有し、各種情報を表示及び出力する。例えば、表示部１０２は、後述するコンテンツ識別子受信部１２２による表示制御により、コンテンツ識別子を受信したことを表示出力するとともに、コンテンツサーバ装置への接続認証で用いられるパスワードの入力を促す画面を表示出力する。また、例えば、表示部１０２は、後述する記憶制御部１２６による表示制御により、電話帳データを表示出力する。
【００２２】
記憶部１１０は、制御部１２０による各種処理に要するデータや、制御部１２０による各種処理結果を記憶し、電話帳アクセスデータ記憶部１１１を有する。また、記憶部１１０は、例えば、ＲＡＭ（Random  Access  Memory）、ＲＯＭ（Read  Only  Memory）、フラッシュメモリ（Flash  Memory）等の半導体メモリ素子、又は、ハードディスク、光ディスク等の記憶装置である。
【００２３】
電話帳アクセスデータ記憶部１１１は、コンテンツサーバ装置へのアクセスに要する各種情報を保持する。図３を用いて、電話帳アクセスデータ記憶部１１１に記憶される情報を説明する。図３は、電話帳アクセスデータ記憶部１１１に記憶される情報の例を示す図である。
【００２４】
例えば、電話帳アクセスデータ記憶部１１１は、図３に示すように、携帯電話１００内部における電話帳アクセスデータの通し番号である「電話帳識別子」と、コンテンツサーバ装置の識別子である「コンテンツサーバ識別子」とを記憶する。加えて、電話帳アクセスデータ記憶部１１１は、コンテンツサーバ装置によって電話帳データの登録時に割り当てられた携帯電話１００の電話帳データの識別子である「コンテンツ識別子」と、コンテンツサーバ装置への接続認証で用いられる「パスワード」とを記憶する。具体的に例を挙げると、電話帳アクセスデータ記憶部１１１は、電話帳識別子「００１」と、コンテンツサーバ識別子「ｗｗｗ．ａａａ．ｃｏｍ」と、コンテンツ識別子「１０００」と、パスワード「１２３４」とを記憶する。なお、電話帳識別子は、コンテンツサーバ装置に対する電話帳データの登録依頼時に採番される。
【００２５】
また、記憶部１１０は、コンテンツサーバ識別子とコンテンツサーバ装置のＩＰ（Internet  Protocol）アドレスとを対応付けて保持するコンテンツサーバ登録テーブルを有する。このコンテンツサーバ識別子は、後述する電話帳アクセスデータ記憶部１１１への電話帳アクセスデータの登録時に、コンテンツサーバ登録テーブルから該当するコンテンツサーバ装置のコンテンツサーバ識別子が取得されて登録される。
【００２６】
制御部１２０は、制御プログラム、各種の処理手順等を規定したプログラム及び所要データを格納するための内部メモリを有し、携帯電話１００全体を制御する。また、制御部１２０は、登録依頼部１２１と、コンテンツ識別子受信部１２２と、登録部１２３と、無線通信部１２４と、識別子送信部１２５と、記憶制御部１２６とを有する。また、制御部１２０は、例えば、ＡＳＩＣ（Application  Specific  Integrated  Circuit）やＦＰＧＡ（Field  Programmable  Gate  Array）等の集積回路、又は、ＣＰＵ（Central  Processing  Unit）やＭＰＵ（Micro  Processing  Unit）等の電子回路である。
【００２７】
登録依頼部１２１は、例えば、入力部１０１によって入力された電話帳データを受け付けて、当該電話帳データをコンテンツサーバ装置に対して送信するとともに登録を依頼する。コンテンツサーバ装置に登録依頼される電話帳データは、例えば、氏名、電話番号、電子メールアドレス、住所及び画像等である。
【００２８】
コンテンツ識別子受信部１２２は、例えば、登録依頼部１２１による電話帳データの登録依頼に対する応答としてコンテンツ識別子を受信する。そして、コンテンツ識別子受信部１２２は、受信されたコンテンツ識別子を受信したことを表示部１０２に表示制御するとともに、コンテンツサーバ装置への接続認証で用いられるパスワードの入力を促す画面を表示制御する。また、コンテンツ識別子受信部１２２は、受信されたコンテンツ識別子を登録部１２３に通知する。
【００２９】
登録部１２３は、例えば、コンテンツ識別子受信部１２２からコンテンツ識別子が通知された場合に、コンテンツサーバ装置への接続で利用されるパスワードを入力部１０１から受け付ける。そして、登録部１２３は、受け付けたパスワードと通知されたコンテンツ識別子とを電話帳アクセスデータ記憶部１１１に登録する。このとき、制御部１２０は、電話帳アクセスデータの通し番号を割り当てて、電話帳アクセスデータ記憶部１１１に登録する。
【００３０】
無線通信部１２４は、例えば、入力部１０１から赤外線通信等の無線通信の開始通知を受け付ける。そして、無線通信部１２４は、電話帳アクセスデータ記憶部１１１に登録されたコンテンツ識別子、パスワード及びコンテンツサーバ識別子を、無線通信を用いて他の携帯電話に対して送信する。また、無線通信部１２４は、他の携帯電話から送信されたコンテンツ識別子、パスワード及びコンテンツサーバ識別子を受信して、識別子送信部１２５に入力する。なお、無線通信部１２４は、実施例１に係る無線通信部２の一例である。
【００３１】
識別子送信部１２５は、例えば、無線通信部１２４によって受信されたコンテンツサーバ識別子を用いて、該当するコンテンツサーバ装置のＤＮＳ（Domain  Name  System）を参照し、ＩＰアドレスを取得する。そして、識別子送信部１２５は、取得されたＩＰアドレスによる通信で、無線通信部１２４によって受信されたコンテンツ識別子とパスワードとをコンテンツサーバ装置に送信する。このとき、携帯電話１００からコンテンツ識別子とパスワードとを受信したコンテンツサーバ装置は、パスワードを利用した接続認証を行ない、受信されたコンテンツ識別子に対応する電話帳データを携帯電話１００に対して送信する。なお、識別子送信部１２５は、実施例１に係る識別子送信部３の一例である。
【００３２】
記憶制御部１２６は、例えば、コンテンツサーバ装置から送信された電話帳データを受信し、受信された電話帳データを一時的に記憶部１１０に格納するとともに、当該電話帳データを表示部１０２に表示制御する。受信された電話帳データは、例えば、氏名、電話番号、電子メールアドレス、住所及び画像等のデータである。また、受信された電話帳データは、登録可否や編集等が行なわれ、コンテンツサーバ装置に登録される場合に、上記の登録依頼部１２１、コンテンツ識別子受信部１２２及び登録部１２３による処理が行なわれることとなる。なお、記憶制御部１２６は、実施例１に係る記憶制御部４の一例である。
【００３３】
［実施例２に係る電話帳データ登録処理］
次に、図４及び図５を用いて、実施例２に係る電話帳データ登録処理を説明する。図４は、実施例２に係る電話帳データ登録処理を説明する図である。また、図５は、実施例２に係る電話帳データ登録処理の流れを示すフローチャートである。なお、電話帳データ登録処理とは、コンテンツサーバ装置に電話帳データを登録する処理を指す。以下では、コンテンツサーバ装置５０に対して電話帳データ５１の登録を依頼する携帯電話１００を例に挙げて説明する。
【００３４】
例えば、携帯電話１００は、コンテンツサーバ登録テーブルからコンテンツサーバ装置５０のＩＰアドレスを取得し、コンテンツサーバ装置５０との接続を開始する（ステップＳ１０１）。なお、コンテンツサーバ装置５０との接続は、ＬＴＥ（Long  Term  Evolution）等の常時接続型のパケット通信方式が一例として挙げられる。一方、コンテンツサーバ装置５０は、接続開始に対する応答を携帯電話１００に対して送信する（ステップＳ１０２）。
【００３５】
接続開始応答を受信した携帯電話１００は、氏名「山田太郎」、電話番号「０９０ＸＸＸＸＸＸＸＸ」、電子メールアドレス「ｙｙｙ＠ｚｚｚ．ｊｐ」、住所「東京都千代田区」及び画像「ｇａｚｏｕ．ｊｐｇ」等の電話帳データを受け付ける（ステップＳ１０３）。電話帳データは、携帯電話１００のユーザによる操作キーの操作等によって入力される。
【００３６】
そして、携帯電話１００は、電話帳識別子「００１」を割り当てて電話帳アクセスデータ記憶部１１１に登録する（ステップＳ１０４）。続いて、携帯電話１００は、氏名、電話番号、電子メールアドレス、住所及び画像を含んだ電話帳データをコンテンツサーバ装置５０に対して送信するとともに、当該電話帳データの登録を依頼する（ステップＳ１０５）。一方、電話帳データを受信したコンテンツサーバ装置５０は、コンテンツ識別子「１０００」を割り当てて、当該コンテンツ識別子と対応付けて電話帳データ５１に電話帳データを登録するとともに、割り当てられたコンテンツ識別子を携帯電話１００に送信する（ステップＳ１０６）。
【００３７】
コンテンツ識別子「１０００」を受信した携帯電話１００は、電話帳識別子「００１」と対応付けて、受信されたコンテンツ識別子を電話帳アクセスデータ記憶部１１１に格納する（ステップＳ１０７）。そして、携帯電話１００は、当該携帯電話１００のユーザによる操作キーの操作によって入力されるパスワード「１２３４」を受け付けて、受け付けたパスワードをコンテンツサーバ装置５０に対して送信する（ステップＳ１０８）。
【００３８】
一方、パスワードを受信したコンテンツサーバ装置５０は、受信されたパスワード「１２３４」を電話帳データ５１に登録して、登録が完了した旨を携帯電話１００に対して通知する（ステップＳ１０９）。また、パスワードの登録完了通知を受信した携帯電話１００は、コンテンツサーバ装置５０との接続終了処理を実行して、接続を終了する旨をコンテンツサーバ装置５０に対して通知する（ステップＳ１１０）。接続終了通知を受信したコンテンツサーバ装置５０は、接続終了処理を実行し、接続終了通知に対する応答を携帯電話１００に対して通知する（ステップＳ１１１）。
【００３９】
［実施例２に係る電話帳交換処理］
次に、図６及び図７を用いて、実施例２に係る電話帳交換処理を説明する。図６は、実施例２に係る電話帳交換処理を説明する図である。また、図７は、実施例２に係る電話帳交換処理の流れを示すフローチャートである。なお、電話帳データ交換処理とは、無線通信の相手先の携帯電話にコンテンツサーバ装置５０へのアクセスに要する識別子等を送信する処理を指す。以下では、携帯電話１００から携帯電話１００ａに対して識別子等を送信する場合を説明する。この携帯電話１００ａは、携帯電話１００と同様の機能を有する携帯電話である。
【００４０】
例えば、図７に示すように、携帯電話１００は、当該携帯電話１００のユーザによる操作キーの操作により無線通信の開始を携帯電話１００ａに対して通知する（ステップＳ２０１）。無線通信の開始通知を受信した携帯電話１００ａは、無線通信の開始通知に対する応答を携帯電話１００に対して通知する（ステップＳ２０２）。
【００４１】
また、携帯電話１００は、電話帳アクセスデータ記憶部１１１に登録されたコンテンツ識別子「１０００」、パスワード「１２３４」及びコンテンツサーバ識別子「ｗｗｗ．ａａａ．ｃｏｍ」を、無線通信を用いて携帯電話１００ａに転送する（ステップＳ２０３）。電話帳アクセスデータを受信した携帯電話１００ａは、受信された電話帳アクセスデータを電話帳アクセスデータ記憶部１１１ａに格納するとともに、当該電話帳アクセスデータの転送に対する応答を携帯電話１００に通知する（ステップＳ２０４）。
【００４２】
また、電話帳アクセスデータの転送応答を受信した携帯電話１００は、無線通信の終了を携帯電話１００ａに対して通知する（ステップＳ２０５）。無線通信の終了通知を受信した携帯電話１００ａは、無線通信の終了通知に対する応答を携帯電話１００に対して通知する（ステップＳ２０６）。なお、上記ステップＳ２０４では、受信された電話帳アクセスデータを電話帳アクセスデータ記憶部１１１ａに格納する場合を説明したが、この時点では格納することなく一時的にメモリに記録しておくこととしても良い。
【００４３】
［実施例２に係る電話帳データ参照処理］
次に、図８及び図９を用いて、実施例２に係る電話帳データ参照処理を説明する。図８は、実施例２に係る電話帳データ参照処理を説明する図である。また、図９は、実施例２に係る電話帳データ参照処理の流れを示すフローチャートである。なお、電話帳データ参照処理とは、コンテンツサーバ装置に保持される電話帳データを取得する処理を指す。以下では、携帯電話１００ａがコンテンツサーバ装置５０から携帯電話１００の電話帳データを取得する場合を説明する。
【００４４】
例えば、図９に示すように、携帯電話１００ａは、コンテンツサーバ識別子「ｗｗｗ．ａａａ．ｃｏｍ」を用いてコンテンツサーバ装置５０のＤＮＳを参照する（ステップＳ３０１）。そして、携帯電話１００ａは、コンテンツサーバ装置５０のＩＰアドレスを取得する（ステップＳ３０２）。続いて、携帯電話１００ａは、取得されたＩＰアドレスによる通信でコンテンツサーバ装置５０との接続を開始する（ステップＳ３０３）。
【００４５】
一方、接続開始の通知を受信したコンテンツサーバ装置５０は、接続開始の通知に対する応答を携帯電話１００ａに対して通知する（ステップＳ３０４）。これらにより、携帯電話１００ａとコンテンツサーバ装置５０との通信が確立される。また、携帯電話１００ａは、コンテンツ識別子「１０００」とパスワード「１２３４」とをコンテンツサーバ装置５０に対して送信するとともに、電話帳データの参照を依頼する（ステップＳ３０５）。
【００４６】
コンテンツ識別子とパスワードとを受信したコンテンツサーバ装置５０は、保持された電話帳データ５１のパスワード「１２３４」と、受信されたパスワード「１２３４」とが一致することを確認する接続認証を行なう。そして、コンテンツサーバ装置５０は、受信されたコンテンツ識別子に該当する電話帳データ５１に含まれる氏名、電話番号、電子メールアドレス、住所及び画像等のデータを参照するとともに、当該データを携帯電話１００ａに対して送信する（ステップＳ３０６）。
【００４７】
電話帳データを受信した携帯電話１００ａは、受信された電話帳データを一時的に記憶部１１０に格納するとともに表示部１０２に表示出力し（ステップＳ３０７）、コンテンツサーバ装置５０に対して接続終了を通知する（ステップＳ３０８）。なお、接続終了通知を受信したコンテンツサーバ装置５０は、接続終了通知に対する応答を携帯電話１００ａに対して通知する（ステップＳ３０９）。また、表示部１０２に電話帳データを表示出力した携帯電話１００ａは、ユーザによる操作キーの操作により、電話帳データの登録可否や必要に応じた編集を実行し、上記の電話帳データ登録処理を実行することとなる。
【００４８】
［実施例２による効果］
上述したように、携帯電話１００は、コンテンツサーバ装置へ登録された電話帳データを他の携帯電話と交換する場合に、当該他の携帯電話と無線通信を行なうことにより電話帳データを交換するので、電話帳データを簡易に交換することができる。換言すると、携帯電話１００は、ユーザにとっては従来の近距離無線通信を用いた電話帳データの交換作業を行なうだけで、所望の電話帳データを表示出力することができるので、電話帳データを簡易に交換することができる。
【実施例３】
【００４９】
ところで、上記実施例１又は２では、１つのコンテンツサーバ装置から電話帳データを取得する場合を説明したが、複数のコンテンツサーバ装置から電話帳データを取得することもできる。そこで、実施例３では、複数のコンテンツサーバ装置から電話帳データを取得する場合を説明する。
【００５０】
［実施例３に係る電話帳データ参照処理］
図１０及び図１１を用いて、実施例３に係る電話帳データ参照処理を説明する。図１０は、実施例３に係る電話帳データ参照処理を説明する図である。また、図１１は、実施例３に係る電話帳データ参照処理の流れを示すフローチャートである。なお、図１１では、実施例２に係る電話帳データ参照処理フローと同様の処理については同一のステップを付している。以下では、他の携帯電話から複数の電話帳アクセスデータを受け付けた携帯電話１００が、コンテンツサーバ装置５０及びコンテンツサーバ装置６０から電話帳データを取得する場合について説明する。
【００５１】
例えば、図１１に示すように、携帯電話１００は、コンテンツサーバ識別子を用いてコンテンツサーバ装置５０のＤＮＳを参照する（ステップＳ３０１）。そして、携帯電話１００は、コンテンツサーバ装置５０のＩＰアドレスを取得する（ステップＳ３０２）。続いて、携帯電話１００は、取得されたＩＰアドレスによる通信でコンテンツサーバ装置５０との接続を開始する（ステップＳ３０３）。
【００５２】
一方、接続開始の通知を受信したコンテンツサーバ装置５０は、接続開始の通知に対する応答を携帯電話１００に対して通知する（ステップＳ３０４）。これらにより、携帯電話１００とコンテンツサーバ装置５０との通信が確立される。また、携帯電話１００は、コンテンツ識別子とパスワードとをコンテンツサーバ装置５０に対して送信するとともに、電話帳データの参照を依頼する（ステップＳ３０５）。
【００５３】
コンテンツ識別子とパスワードとを受信したコンテンツサーバ装置５０は、保持された電話帳データ５１のパスワードと、受信されたパスワードとが一致することを確認する接続認証を行なう。そして、コンテンツサーバ装置５０は、受信されたコンテンツ識別子に該当する電話帳データ５１に含まれる氏名、電話番号、電子メールアドレス、住所及び画像等のデータを参照するとともに、当該データを携帯電話１００に対して送信する（ステップＳ３０６）。
【００５４】
電話帳データを受信した携帯電話１００は、受信された電話帳データを表示部１０２に表示出力し（ステップＳ３０７）、コンテンツサーバ装置５０に対して接続終了を通知する（ステップＳ３０８）。なお、接続終了通知を受信したコンテンツサーバ装置５０は、接続終了通知に対する応答を携帯電話１００に対して通知する（ステップＳ３０９）。
【００５５】
また、携帯電話１００は、コンテンツサーバ識別子を用いてコンテンツサーバ装置６０のＤＮＳを参照する（ステップＳ４０１）。そして、携帯電話１００は、コンテンツサーバ装置６０のＩＰアドレスを取得する（ステップＳ４０２）。続いて、携帯電話１００は、取得されたＩＰアドレスによる通信でコンテンツサーバ装置６０との接続を開始する（ステップＳ４０３）。
【００５６】
一方、接続開始の通知を受信したコンテンツサーバ装置６０は、接続開始の通知に対する応答を携帯電話１００に対して通知する（ステップＳ４０４）。これらにより、携帯電話１００とコンテンツサーバ装置６０との通信が確立される。また、携帯電話１００は、コンテンツ識別子とパスワードとをコンテンツサーバ装置６０に対して送信するとともに、電話帳データの参照を依頼する（ステップＳ４０５）。
【００５７】
コンテンツ識別子とパスワードとを受信したコンテンツサーバ装置６０は、保持された電話帳データ６１のパスワードと、受信されたパスワードとが一致することを確認する接続認証を行なう。そして、コンテンツサーバ装置６０は、受信されたコンテンツ識別子に該当する電話帳データ６１に含まれる氏名、電話番号、電子メールアドレス、住所及び画像等のデータを参照するとともに、当該データを携帯電話１００に対して送信する（ステップＳ４０６）。
【００５８】
電話帳データを受信した携帯電話１００は、受信された電話帳データを表示部１０２に表示出力し（ステップＳ４０７）、コンテンツサーバ装置６０に対して接続終了を通知する（ステップＳ４０８）。なお、接続終了通知を受信したコンテンツサーバ装置６０は、接続終了通知に対する応答を携帯電話１００に対して通知する（ステップＳ４０９）。
【００５９】
［実施例３による効果］
上述したように、携帯電話１００は、無線通信により複数の電話帳アクセスデータを取得し、複数のコンテンツサーバ装置と接続して、複数の電話帳データを取得するので、複数の電話帳データを簡易に交換することができる。
【実施例４】
【００６０】
さて、これまで本願に開示する端末装置の実施例について説明したが、上述した実施例以外にも種々の異なる形態にて実施されてよいものである。そこで、（１）アクセス制限、（２）装置の構成、（３）プログラム、において異なる実施例を説明する。
【００６１】
（１）アクセス制限
上記実施例では、携帯電話１００と他の携帯電話との無線通信により電話帳アクセスデータが転送される場合を説明したが、当該電話帳アクセスデータに加えてアクセス制限情報をさらに転送することとしても良い。例えば、携帯電話１００は、他の携帯電話がコンテンツサーバ装置の電話帳データの取得に係る「公開期限」や「公開項目のフィルタリング」等のアクセス制限情報を付与する。これにより、他の携帯電話によるコンテンツサーバ装置へのアクセス時には、アクセス制限情報に準じた電話帳データが取得されることとなる。
【００６２】
（２）装置の構成
また、上記文書中や図面中等で示した処理手順、制御手順、具体的名称、各種のデータやパラメタ等を含む情報（例えば、コンテンツサーバ装置に登録する電話帳データ等）については、特記する場合を除いて任意に変更することができる。
【００６３】
また、図示した端末装置及び携帯電話の各構成要素は、機能概念的なものであり、必ずしも物理的に図示の如く構成されていることを要しない。すなわち、各装置の分散・統合の具体的形態は、図示のものに限られず、その全部又は一部を各種の負担や使用状況などに応じて、任意の単位で機能的または物理的に分散・統合することができる。例えば、携帯電話１００における送受信に係る処理は、送信部と受信部とに統合して処理するようにしても良い。具体的には、登録依頼部１２１による送信処理及び識別子送信部１２５による送信処理は、統合された送信部が行ない、コンテンツ識別子受信部１２２による受信処理及び記憶制御部１２６による受信処理は、統合された受信部が行なうこととしても良い。
【００６４】
（３）プログラム
ところで、上記実施例では、ハードウェアロジックによって各種の処理を実現する場合を説明したが、予め用意されたプログラムをコンピュータで実行することによって実現するようにしても良い。そこで、以下では、図１２を用いて、上記実施例に示した端末装置１と同様の機能を有するコンテンツデータ取得プログラムを実行するコンピュータの一例を説明する。図１２は、コンテンツデータ取得プログラムを実行するコンピュータの例を示す図である。
【００６５】
図１２に示すように、コンピュータ８０は、バス８５で接続されるＨＤＤ８１、ＣＰＵ８２、ＲＯＭ８３及びＲＡＭ８４等を有する。ＲＯＭ８３には、上記実施例に示した端末装置１と同様の機能を発揮するコンテンツデータ取得プログラムが予め記憶される。つまり、図１２に示すように、ＲＯＭ８３には、無線通信プログラム８３ａと、識別子送信プログラム８３ｂと、記憶制御プログラム８３ｃとが予め記憶される。なお、これらのプログラム８３ａ〜８３ｃについては、図１に示した端末装置１の各構成要素と同様、適宜統合又は分散しても良い。
【００６６】
そして、ＣＰＵ８２がこれらのプログラム８３ａ〜８３ｃをＲＯＭ８３から読み出して実行する。これにより、図１２に示すように、プログラム８３ａ〜８３ｃは、無線通信プロセス８２ａと、識別子送信プロセス８２ｂと、記憶制御プロセス８２ｃとして機能するようになる。なお、プロセス８２ａ〜８２ｃは、図１に示した無線通信部２と、識別子送信部３と、記憶制御部４とに対応する。そして、ＣＰＵ８２は、ＲＡＭ８４に記録されたデータ（例えば、電話帳アクセスデータ等）に基づいて、コンテンツデータ取得プログラムを実行する。
【００６７】
なお、上記各プログラム８３ａ〜８３ｃについては、必ずしも最初からＲＯＭ８３に記憶させておく必要はない。例えば、コンピュータ８０に挿入されるフレキシブルディスク（ＦＤ）、ＣＤ−ＲＯＭ、ＤＶＤディスク、光磁気ディスク、ＩＣカード等の「可搬用の物理媒体」に各プログラムを記憶させても良い。また、例えば、コンピュータ８０の内外に備えられるＨＤＤ等の「固定用の物理媒体」に各プログラムを記憶させても良い。さらには、公衆回線、インターネット、ＬＡＮ、ＷＡＮ等を介してコンピュータ８０に接続される「他のコンピュータ（又はサーバ）」等に各プログラムを記憶させても良い。そして、コンピュータ８０が、これらから各プログラムを読み出して実行するようにしても良い。
【符号の説明】
【００６８】
１      端末装置
２      無線通信部
３      識別子送信部
４      記憶制御部
５      記憶部
１００  携帯電話
１０１  入力部
１０２  表示部
１１０  記憶部
１１１  電話帳アクセスデータ記憶部
１２０  制御部
１２１  登録依頼部
１２２  コンテンツ識別子受信部
１２３  登録部
１２４  無線通信部
１２５  識別子送信部
１２６  記憶制御部
【図１】
0005564965.tif 000002
【図２】
0005564965.tif 000003
【図３】
0005564965.tif 000004
【図４】
0005564965.tif 000005
【図５】
0005564965.tif 000006
【図６】
0005564965.tif 000007
【図７】
0005564965.tif 000008
【図８】
0005564965.tif 000009
【図９】
0005564965.tif 000010
【図１０】
0005564965.tif 000011
【図１１】
0005564965.tif 000012
【図１２】
0005564965.tif 000013
【図１３】
0005564965.tif 000014